(57)【要約】      （修正有）【課題】死産児を葬るときに、棺桶や布団を用意する手間を減らすことができる死産児用棺セットを提供する。【解決手段】死産児用の棺桶と死産児用の布団を組み合わせる。死産児用の棺桶は、厚紙製の箱にし、箱本体１とその上面の開口に被せる蓋体３を含み、死産児用の布団は、箱本体の底に敷く敷布団６、７と、敷布団上の死産児に掛ける掛布団８又は死産児を包むおくるみを含む。箱本体と蓋体は、それぞれ、使用前には平面形態の厚紙で保管し、使用時にその厚紙を折り曲げて立体形態に組み立てる組立て式にする。敷布団は、緩衝性と吸収性のある吸収パッド６又は布団状の脱脂綿７にする。【選択図】図１
0003158054.tif 000002
【実用新案登録請求の範囲】
【請求項１】
死産児用の棺桶と死産児用の布団を組み合わせた棺セットであって、
死産児用の棺桶は、厚紙製の箱にし、箱本体とその上面の開口に被せる蓋体を含み、
死産児用の布団は、箱本体の底に敷く敷布団と、敷布団上の死産児に掛ける掛布団又は死産児を包むおくるみを含むことを特徴とする死産児用棺セット。
【請求項２】
箱本体と蓋体は、それぞれ、使用前には平面形態の厚紙で保管し、使用時にその厚紙を折り曲げて立体形態に組み立てる組立て式にすることを特徴とする請求項１に記載の死産児用棺セット。
【請求項３】
敷布団は、緩衝性と吸収性のある吸収パッド又は布団状の脱脂綿にすることを特徴とする請求項１又は２に記載の死産児用棺セット。
【考案の詳細な説明】
【技術分野】
【０００１】
本考案は、死産児を納める棺桶と布団を組み合わせた棺セットに関する。
【背景技術】
【０００２】
死亡状態で出産した死産児を納める棺桶や布団は、知られていないようである。
死産児は、子供より小さい。子供用の棺桶は、大き過ぎる。また、死産児は、子供の死者とは異なり、損壊し易く、濡れていることがある。
【０００３】
死産児を葬るときには、靴の包装に使用されていた厚紙製の包装箱と、脱脂綿やガーゼを用意する。脱脂綿は、靴の包装箱の大きさに合わせた寸法の布団状にする。ガーゼは、靴の包装箱の大きさに合わせた寸法に切断する。包装箱は、箱本体内に布団状の脱脂綿を嵌め込んで底に敷き詰める。死産児は、箱本体内に容れて底の脱脂綿の上に寝かせ、ガーゼを掛ける。箱本体は、上面の開口に蓋を被せる。
【先行技術文献】
【特許文献】
【０００４】
【特許文献１】登録実用新案第３１３４９１９号公報
【考案の概要】
【考案が解決しようとする課題】
【０００５】
［課  題］
死産児を葬るときには、靴の包装箱と、脱脂綿やガーゼを集める手間が掛かり、脱脂綿やガーゼを包装箱に合わせた寸法に加工する手間が掛かる。
また、靴の使用済みの包装箱は、死産児の棺桶として、心情的に適当ではない。
【０００６】
［着  想］
死産児用の棺桶と布団を組み合わせた棺セットを提供することにした。棺桶や布団を用意する手間が減る。
棺桶は、軽量で燃焼性のある紙製の箱にし、箱本体とその上面の開口に被せる蓋体を含む。
箱本体と蓋体の素材の紙は、厚手の紙、厚紙にする。厚紙には、ボール紙や段ボール紙が例示される。死産児は、子供の死者より軽い。厚紙製の箱は、死産児用の棺桶として強度が適当である。
【０００７】
また、箱本体と蓋体は、それぞれ、使用前には平面形態の厚紙で保管し、使用時にその厚紙を折り曲げて立体形態に組み立てる組立て式にする。使用前に嵩張らない。
布団は、箱本体の底に敷く敷布団と、敷布団上の死産児に掛ける掛布団又は死産児を包むおくるみを含む。
敷布団は、緩衝性と吸収性のあるものにする。死産児は、損壊し易く、濡れていることがある。緩衝性と吸収性のある敷布団には、産婦の悪露用の吸収パッド、女性の生理用の吸収パッドや、布団状に成形した脱脂綿が例示される。
掛布団、おくるみは、一重又は二重の布にする。レース地で縁取る。
【課題を解決するための手段】
【０００８】
１）死産児用の棺桶と死産児用の布団を組み合わせた棺セットであって、
死産児用の棺桶は、厚紙製の箱にし、箱本体とその上面の開口に被せる蓋体を含み、
死産児用の布団は、箱本体の底に敷く敷布団と、敷布団上の死産児に掛ける掛布団又は死産児を包むおくるみを含むことを特徴とする死産児用棺セット。
２）上記の死産児用棺セットにおいて、
箱本体と蓋体は、それぞれ、使用前には平面形態の厚紙で保管し、使用時にその厚紙を折り曲げて立体形態に組み立てる組立て式にすることを特徴とする。
３）上記の死産児用棺セットにおいて、
敷布団は、緩衝性と吸収性のある吸収パッド又は布団状の脱脂綿にすることを特徴とする。
【考案の効果】
【０００９】
死産児を葬るときに、棺桶や布団を用意する手間が減る。
【図面の簡単な説明】
【００１０】
【図１】本考案の実施形態における死産児用棺セットの分解斜視図。
【図２】同死産児用棺セットの使用状態を示す図で、棺桶の左右方向中央位置で前後方向に沿って切断した縦断面図。
【図３】同棺桶の使用時の立体形態を示す図で、棺桶の左右方向中央位置で前後方向に沿って切断した縦断面図。
【図４】同棺桶の使用時の立体形態を示す図で、棺桶の前後方向中央位置で左右方向に沿って切断した縦断面図。
【図５】同棺桶の箱本体の保管時の平面形態を示す平面図。
【図６】同箱本体の内底板の平面図。
【図７】同箱本体の厚紙の折目線付き切り抜き板の平面図。
【図８】同棺桶の蓋体の保管時の平面形態を示す底面図。
【図９】同蓋体の厚紙の折目線付き切り抜き板の底面図。
【考案を実施するための形態】
【００１１】
実施形態の死産児用棺セットは、死産児用の棺桶と死産児用の布団を組み合わせている。死産児用の棺桶は、厚紙製の箱にし、図１と図２に示すように、箱本体１とその上面の開口に被せる蓋体３を含んでいる。箱本体１は、内底板２を付属している。死産児用の布団は、箱本体１の底に敷く吸収パッドの敷布団６、脱脂綿の敷布団７と、敷布団上の死産児ｄに掛ける掛布団８を含んでいる。
【００１２】
箱本体１と蓋体３は、それぞれ、使用前には平面形態の厚紙で保管し、使用時にその厚紙を折り曲げて立体形態に組み立てる組立て式にしている。箱本体１と蓋体３の使用時の立体形態は、図３と図４に示す。箱本体１の使用前の保管時の平面形態は、図５と図６に示す。蓋体３の使用前の保管時の平面形態は、図８に示す。
【００１３】
図２に示す使用状態の棺桶１、２、３の内寸は、前後方向を約２００〜３５０mm、左右方向を約１００〜１８０mm、上下方向を約８０〜１５０mmにしている。
【００１４】
箱本体１の製作時、素材の厚紙、実施例では段ボール紙は、打抜き加工で、図７に実線で示すように、箱本体１の展開形状に切り抜き、同図に鎖線で示すように、折り曲げ易くした折目線を設ける。厚紙の折目線付き切り抜き板は、長方形の底板部１１の前後に前端板部１２と後端板部１３を形成し、底板部１１の左右に左側板部１４と右側板部１５を形成している。前端板部１２と左側板部１４の間、左側板部１４と後端板部１３の間、後端板部１３と右側板部１５の間、右側板部１５と前端板部１２の間の隅角部には、それぞれ、連結部１６、１７、１８、１９を形成している。
【００１５】
この折目線付き切り抜き板は、左側板部１４と右側板部１５を、それぞれ、左右方向略中央位置の２本の折目線で、谷折りして二つ折り状にし、二つ折り状態に接着する。すると、図５に示した箱本体１の保管時の平面形態になる。内底板２は、素材の厚紙、実施例では段ボール紙を、図６に示すように、長方形に切断し、長方形の平板にしている。
【００１６】
蓋体３の製作時、素材の厚紙、実施例では段ボール紙は、打抜き加工で、図９に実線で示すように、蓋体３の展開形状に切り抜き、同図に鎖線で示すように、折り曲げ易くした折目線を設ける。厚紙の折目線付き切り抜き板は、長方形の天板部２１の前後に前端板部２２と後端板部２３を形成し、天板部２１の左右に左側板部２４と右側板部２５を形成している。前端板部２２と左側板部２４の間、左側板部２４と後端板部２３の間、後端板部２３と右側板部２５の間、右側板部２５と前端板部２２の間の隅角部には、それぞれ、連結部２６、２７、２８、２９を形成している。
【００１７】
この折目線付き切り抜き板は、左側板部２４と右側板部２５を、それぞれ、左右方向略中央位置の２本の折目線で、谷折りして二つ折り状にし、二つ折り状態に接着する。すると、図８に示した蓋体３の保管時の平面形態になる。
【００１８】
吸収パッドの敷布団６は、産婦の悪露用の吸収パッドを転用している。これは、脱脂綿に高吸収性ポリマーの粉末を混入し、その脱脂綿をガーゼで包み、長方形のパッド状にしている。緩衝性と吸収性に富んでいる。その大きさは、箱本体１の底板部１１とほぼ同じにしている。
脱脂綿の敷布団７は、脱脂綿を長方形の布団状にしている。緩衝性と吸収性に富んでいる。その大きさは、箱本体１の底板部１１とほぼ同じにしている。
掛布団８は、長方形の表地の布と裏地の布を合わせて二重にし、長方形の二重の布をレース地で縁取っている。その大きさは、箱本体１の底板部１１とほぼ同じにしている。
【００１９】
この死産児用棺セットを使用するときに、箱本体１の折目線付き切り抜き板と内底板２は、図５と図６に示す保管時の平面形態から、図３と図４に示す使用時の立体形態に組み立てる。
【００２０】
箱本体１の折目線付き切り抜き板は、左側板部１４と右側板部１５を、それぞれ、底板部１１との境の折目線で、底板部１１の内面側に折り曲げる。これに連れて、連結部１６、１７、連結部１８、１９も、それぞれ、底板部１１との境の折目線で、底板部１１の内面側に折り曲がる。また、前端板部１２と後端板部１３は、それぞれ、底板部１１との境の折目線で、底板部１１の内面側に折り曲げる。この時、連結部１６、１９、連結部１７、１８は、それぞれ、その対角線位置の折目線で、山折りし、底板部１１の内面側に突き出す。そして、前端板部１２と後端板部１３は、それぞれ、前後方向略中央位置の２本の折目線で、谷折りして二つ折り状にし、二つ折り部の間に山折り状態の連結部１６、１９、山折り状態の連結部１７、１８を挟む。更に、前端板部１２の左右の凸部３１、３２は、それぞれ、左側板部１４の前端の凹部３３と右側板部１５の前端の凹部３４に嵌め込む。後端板部１３の左右の凸部３５、３６は、それぞれ、左側板部１４の後端の凹部３７と右側板部１５の後端の凹部３８に嵌め込む。すると、箱本体１の立体形態になる。その後、箱本体１には、その上面の開口から内底板２を嵌め込み、底板部１１の上面に内底板２を重ねる。
【００２１】
蓋体３の折目線付き切り抜き板は、図８に示す保管時の平面形態から、図３と図４に示す使用時の立体形態に組み立てる。
【００２２】
蓋体３の折目線付き切り抜き板は、箱本体１のそれと同様に、左側板部２４と右側板部２５を折り曲げ、前端板部２２と後端板部２３を折り曲げ、連結部２６、２９、連結部２７、２８を折り曲げ、凸部４１、４２を凹部４３、４４に、凸部４５、４６を凹部４７、４８に嵌め込む。すると、蓋体３の立体形態になる。
【００２３】
箱本体１と蓋体３の組み立て後、図２に示すように、立体形態の箱本体１には、その上面の開口から、吸収パッドの敷布団６と脱脂綿の敷布団７を順次嵌め込み、内底板２の上に吸収パッドの敷布団６を敷き、吸収パッドの敷布団６の上に脱脂綿の敷布団７を敷く。敷布団７の上には、死産児ｄを寝かせる。死産児ｄの上には、掛布団８を掛ける。その後、箱本体１の上面の開口に蓋体３を被せる。
【００２４】
［変形例］
１）上記の実施形態において、敷布団は、吸収パッドの敷布団６と脱脂綿の敷布団７の２枚にしているが、１枚にする。その１枚は、吸収パッドの敷布団６にする。又は、脱脂綿の敷布団７にする。
２）上記の実施形態において、死産児ｄに掛ける掛布団８を用いているが、死産児ｄを包むおくるみを用いる。おくるみは、正方形状にする。正方形状のおくるみは、死産児ｄを包まないときには、二つ折りにして掛布団として使用する。おくるみは、掛布団８と同様な構造にする。
【符号の説明】
【００２５】
ｄ  死産児
１  死産児用棺桶の箱本体
２  死産児用棺桶の内底板
３  死産児用棺桶の蓋体
６  死産児用布団の吸収パッドの敷布団
７  死産児用布団の脱脂綿の敷布団
８  死産児用布団の掛布団
１１  箱本体の底板部
１２  箱本体の前端板部
１３  箱本体の後端板部
１４  箱本体の左側板部
１５  箱本体の右側板部
１６、１７、１８、１９  箱本体の連結部
２１  蓋体の天板部
２２  蓋体の前端板部
２３  蓋体の後端板部
２４  蓋体の左側板部
２５  蓋体の右側板部
２６、２７、２８、２９  蓋体の連結部
３１、３２  箱本体の凸部
３３、３４  箱本体の凹部
３５、３６  箱本体の凸部
３７、３８  箱本体の凹部
４１、４２  蓋体の凸部
４３、４４  蓋体の凹部
４５、４６  蓋体の凸部
４７、４８  蓋体の凹部
【図１】
0003158054.tif 000003
【図２】
0003158054.tif 000004
【図３】
0003158054.tif 000005
【図４】
0003158054.tif 000006
【図５】
0003158054.tif 000007
【図６】
0003158054.tif 000008
【図７】
0003158054.tif 000009
【図８】
0003158054.tif 000010
【図９】
0003158054.tif 000011